(57)【特許請求の範囲】
【請求項１】
カラオケ楽曲の演奏中に入力されたユーザの歌唱を採点する採点手順と、
前記採点手順において算出した採点結果の実点数を楽曲ごとに対応付けて採点結果データベースに統計的に蓄積する蓄積手順と、
ある楽曲の歌唱に対する採点結果が前記採点手順において算出された際、前記採点結果データベースに蓄積されたデータによる、全楽曲に対応する実点数の集合の平均値及び標準偏差と、当該採点結果に係る楽曲に対応する実点数の集合の平均値及び標準偏差とに基づき、当該採点結果に係る楽曲に対応する実点数の集合を母集団とする当該採点結果の実点数の偏差値と、全楽曲に対応する実点数の集合を母集団とする補正点数の偏差値とが等しくなるような前記補正点数を算出する補正点数算出手順と、
前記補正点数算出手順において算出した補正点数を、歌唱に対する採点の最終結果としてユーザに対して提示する提示手順と、
前記採点手順において算出された採点結果の実点数と、この実点数に対して前記補正点数算出手順において算出した歌唱当時の補正点数とを、これらの点数に該当の楽曲の識別情報に対応付けて当該歌唱を行ったユーザの識別情報に対応する採点履歴として個人用採点履歴データベースに蓄積する採点履歴蓄積手順と、
ユーザに対応する採点履歴の閲覧要求を受け付ける受付手順と、
前記受付手順において受け付けた閲覧要求に応じて、前記個人用採点履歴データベースに蓄積された当該ユーザに対応する採点履歴の実点数及びこの実点数に対応する楽曲の識別情報に基づき、この実点数に対する前記補正点数を現時点での前記採点結果データベースに蓄積されたデータに基づいて新たに算出する補正点数再算出手順と、
前記補正点数再算出手順において新たに算出した補正点数と、前記個人用採点履歴データベースに蓄積されている当該楽曲の歌唱当時に算出された過去の補正点数とをユーザに対して提示する履歴提示手順とを有すること
を特徴とするカラオケ採点方法。
【請求項２】
カラオケ楽曲の演奏中に入力されたユーザの歌唱の採点する採点手段を備え、カラオケ楽曲の演奏を、歌唱するユーザの識別情報に対応付けて実行可能に構成された複数のカラオケ装置と、前記各カラオケ装置に対してデータを提供するホストサーバとが通信可能に接続されてなるカラオケ採点システムにおいて、
前記カラオケ装置は、
前記採点手段により採点した歌唱の実点数と当該採点に係る楽曲の識別情報とを対応付けた採点結果を当該採点結果に係る歌唱を行ったユーザの識別情報に対応付けて前記ホストサーバに対して送信する採点結果送信手段と、
前記採点結果送信手段により送信した採点結果に対する応答として前記ホストサーバから返信されてくる補正点数を取得する補正点数取得手段と、
前記補正点数取得手段により取得した補正点数を、歌唱に対する採点の最終結果としてユーザに対して提示する提示手段と、
ユーザに対応する採点履歴の閲覧要求を受け付ける受付手段と、
前記受付手段による閲覧要求を当該ユーザの識別情報に対応付けて前記ホストサーバへ送信する閲覧要求送信手段と、
前記閲覧要求送信手段によって送信した閲覧要求に対する応答として前記ホストサーバから送信されてくる新たな補正点数と過去の補正点数とを取得する採点履歴取得手段と、
前記採点履歴取得手段により取得した新たな補正点数と過去の補正点数とを比較可能な態様でユーザに対して提示する履歴提示手段とを備え、
前記ホストサーバは、
前記各カラオケ装置から送信されてくる前記採点結果を受信する採点結果受信手段と、
前記採点結果受信手段により受信した採点結果の実点数を楽曲ごとに対応付けて統計的に蓄積する採点結果データベースと、
前記採点結果受信手段により前記採点結果を受信した際、前記採点結果データベースに蓄積されたデータによる、全楽曲に対応する実点数の集合の平均値及び標準偏差と、当該採点結果に係る楽曲に対応する実点数の集合の平均値及び標準偏差とに基づき、当該採点結果に係る楽曲に対応する実点数の集合を母集団とする当該採点結果の実点数の偏差値と、全楽曲に対応する実点数の集合を母集団とする補正点数の偏差値とが等しくなるような前記補正点数を算出する補正点数算出手段と、
前記補正点数算出手段により算出した補正点数を、当該採点結果送信元の前記カラオケ装置に対して送信する補正点数送信手段と、
前記採点結果受信手段により受信した採点結果の実点数と、この実点数に対して前記補正点数算出手段により算出した歌唱当時の補正点数とを、これらの点数に該当の楽曲の識別情報に対応付けて当該歌唱を行ったユーザの識別情報に対応する採点履歴として蓄積する個人用採点履歴データベースと、
前記各カラオケ装置から送信されてくる前記閲覧要求を受信する閲覧要求受信手段と、
前記閲覧要求受信手段により受信した閲覧要求に応じて、個人用採点履歴データベースに蓄積された当該ユーザに対応する採点履歴の実点数及びこの実点数に対応する楽曲の識別情報に基づき、この実点数に対する前記補正点数を現在の前記採点結果データベースに蓄積されたデータに基づいて新たに算出する補正点数再算出手段と、
前記補正点数再算出手段により新たに算出した補正点数と、前記個人用採点履歴データベースに蓄積されている当該楽曲の歌唱当時に算出された過去の補正点数とを当該閲覧要求の送信元のカラオケ装置に対して送信する履歴送信手段とを備えること
を特徴とするカラオケ採点システム。
【発明の詳細な説明】
【技術分野】
【０００１】
本発明は、ユーザの歌唱の巧拙を採点するカラオケ採点方法及びカラオケ採点システムシステムに関する。
【背景技術】
【０００２】
従来、カラオケの歌唱の巧拙を採点する採点機能を有するカラオケ採点システムが実用化されている。また、採点結果を集計したデータに基づき、採点結果の点数に順位を付け、その順位をユーザに通知するランキング機能を有するカラオケ採点システムが知られている（例えば、特許文献１参照）。なお、この種のカラオケ採点システムでは、採点結果のサンプル数を多くしてランキング機能の面白みを増すために、採点対象となった全楽曲の採点結果を店舗単位や、地方単位、あるいは全国といった規模で一括して集計し、全楽曲の採点結果を対象とする総合的な順位を算出することが行われている。
【特許文献１】特開２００６−１１２３５号公報
【発明の開示】
【発明が解決しようとする課題】
【０００３】
しかしながら、カラオケ楽曲には、上手く歌うことが難しい楽曲や簡単な楽曲があり、楽曲ごとに歌唱の難易度にばらつきがある。例えば、図１４に示すグラフは、難易度の異なる楽曲Ａ，Ｂを歌の上手さ（歌唱力）のそれぞれ異なる複数のユーザが歌唱した場合の採点結果の点数を、ユーザの歌唱力を横軸、採点結果の点数を縦軸にとって示すものである。このグラフで示すように、採点結果の点数が総じて高い点数に分布する傾向にある楽曲Ａは、歌唱の難易度が低い簡単な楽曲であることが分かる。一方、採点結果の点数が総じて低い点数に分布する傾向にある楽曲Ｂは、歌唱の難易度が高い難しい楽曲であることが分かる。ここで、歌唱力が平均レベルよりも高いＸさんが難しい楽曲Ｂを歌唱した場合の得点と、歌唱力が平均レベルより低いＹさんが簡単な楽曲Ａを歌唱した場合の得点とを比較してみると、歌唱力が高いはずであるＸさんの得点が歌唱力の低いＹさんの得点よりも低いという結果になっている。このケースでは、採点結果の点数の高低が必ずしもユーザの歌唱力の高低を絶対に評価するものではないことを示している。
【０００４】
このように、簡単な楽曲を歌唱すれば高得点を得やすく、難しい楽曲を歌唱すると高得点を得にくい傾向があるため、異なる難易度の楽曲の採点結果の点数を単純に比較しても、ユーザの歌唱力を公平に評価することはできない。また、上述のように全楽曲の採点結果の集計に基づいて総合的な順位を付ける場合においても、楽曲の難易度によって楽曲ごとの採点結果の点数の平均値や標準偏差にばらつきがあるため、採点結果の点数を単純に比較しただけでは、ユーザの歌唱力を公平に評価したランキングにはならない。
【０００５】
また、歌唱した楽曲の難易度によって採点結果の点数や順位が左右されてしまうようだと、例えば、採点順位に応じた賞品が提供されるカラオケイベントなどに参加したとき等、採点で高得点を獲得し高い順位にランクされたいがために、自分が好きではなくとも簡単な楽曲ばかりを歌唱せざるを得ないといった事態を招くおそれがある。このような状態では、自分の好きな楽曲を楽しんで歌うといったカラオケ本来の楽しみをなくさせてしまうことにもなりかねない。
【０００６】
本発明は、上述のような問題を解決するためになされており、楽曲ごとの歌唱の難易度を考慮した公平な採点を行うことができるカラオケ採点方法及びカラオケ採点システムを提供することを目的とする。
【課題を解決するための手段】
【０００７】
上記目的を達成するためになされた請求項１に記載のカラオケ採点方法は、採点手順と、蓄積手順と、補正点数算出手順と、提示手順と、採点履歴蓄積手順と、受付手順と、補正点数再算出手順と、履歴提示手順とを有することを特徴とする。採点手順では、カラオケ楽曲の演奏中に入力されたユーザの歌唱を採点する。蓄積手順では、採点手順において算出した採点結果の実点数を楽曲ごとに対応付けて採点結果データベースに統計的に蓄積する。補正点数算出手順では、ある楽曲の歌唱に対する採点結果が採点手順において算出された際、採点結果データベースに蓄積されたデータによる、全楽曲に対応する実点数の集合の平均値及び標準偏差と、当該採点結果に係る楽曲に対応する実点数の集合の平均値及び標準偏差とに基づき、当該採点結果に係る楽曲に対応する実点数の集合を母集団とする当該採点結果の実点数の偏差値と、全楽曲に対応する実点数の集合を母集団とする補正点数の偏差値とが等しくなるような補正点数を算出する。提示手順では、補正点数算出手順において算出した補正点数を、歌唱に対する採点の最終結果としてユーザに対して提示する。
【０００８】
歌唱の採点が行われた全楽曲の実点数の集合に関する統計値と、特定の楽曲に対応する実点数の集合に関する統計値とを比較すれば、全楽曲の平均的な難易度に対する当該楽曲の難易度を推定できる。そこで本発明では、実点数の集合の平均値と標準偏差を用いて、当該採点結果に係る楽曲に対応する実点数の集合を母集団とする当該採点結果の実点数の偏差値と、全楽曲に対応する実点数の集合を母集団とする補正点数の偏差値とが等しくなるような補正点数を算出する。このようにすることで、楽曲ごとの難易度によって生じる実点数の統計的特徴を考慮した態様にて、ユーザの歌唱の巧拙を正確かつ公平に採点することができる。また、このような手法で補正された点数をユーザに提示することで、ユーザは自身の歌唱力を正確に把握することができ、好適である。
【０００９】
また、本発明のカラオケ採点方法によって採点した補正点数を集計して、この集計データを採点結果の順位付けに用いることもできる。このようにすることで、難易度の異なる複数の楽曲に対する採点結果を一括で集計した場合においても、楽曲の難易度の差による点数差を補正した公平な点数に基づいて順位付けを行うことができるので、ユーザの歌唱力を正確かつ公平に反映した順位を算出できる。
【００１０】
さらに、請求項１に記載のカラオケ採点方法において、採点履歴蓄積手順では、採点手順において算出された採点結果の実点数と、この実点数に対して前記補正点数算出手順において算出した歌唱当時の補正点数とを、これらの点数に該当の楽曲の識別情報に対応付けて当該歌唱を行ったユーザの識別情報に対応する採点履歴として個人用採点履歴データベースに蓄積する。受付手順では、ユーザに対応する採点履歴の閲覧要求を受け付ける。
【００１１】
そして、補正点数再算出手順では、受付手順において受け付けた閲覧要求に応じて、個人用採点履歴データベースに蓄積された当該ユーザに対応する採点履歴の実点数及びこの実点数に対応する楽曲の識別情報に基づき、この実点数に対する補正点数を現時点での採点結果データベースに蓄積されたデータに基づいて新たに算出する。履歴提示手順では、補正点数再算出手順において新たに算出した補正点数と、個人用採点履歴データベースに蓄積されている当該楽曲の歌唱当時に算出された過去の補正点数とをユーザに対して提示する。
【００１２】
このように構成されたカラオケ採点方法によれば、個人用採点履歴データベースに蓄積された個人の採点履歴をユーザからの閲覧要求に応じて閲覧可能である。さらに、この閲覧においては、ユーザが歌唱した当時に算出された過去の補正点数と、当該歌唱当時の実点数を現在の採点結果データベースの統計水準によって新たに補正した補正点数とを比較することができる。これにより、歌唱に対する採点結果を用いた新たなサービスをユーザに対して提供することができる。このサービスによって、ユーザが歌唱した当時の統計水準に基づく歌唱力の評価が、現在の水準ではどの程度変化しているのかをユーザが把握できるので便利である。
【００１３】
以上で説明した請求項１に記載のカラオケ採点方法は、例えばカラオケ楽曲の演奏を行うカラオケ装置単体によって実現するものであってもよいし、複数のカラオケ装置がネットワークに接続されて構成された、いわゆるカラオケネットワークシステムによって実現するものであってもよい。
【００１４】
そして、後者の場合、請求項２に記載のように、カラオケ楽曲の演奏中に入力されたユーザの歌唱の採点する採点手段を備え、カラオケ楽曲の演奏を、歌唱するユーザの識別情報に対応付けて実行可能に構成された複数のカラオケ装置と、各カラオケ装置に対してデータを提供するホストサーバとが通信可能に接続されてなるカラオケ採点システムとして構成することが考えられる。
【００１５】
このうち、カラオケ装置は、採点手段により採点した歌唱の実点数と当該採点に係る楽曲の識別情報とを対応付けた採点結果を当該採点結果に係る歌唱を行ったユーザの識別情報に対応付けてホストサーバに対して送信する採点結果送信手段と、採点結果送信手段により送信した採点結果に対する応答としてホストサーバから返信されてくる補正点数を取得する補正点数取得手段と、補正点数取得手段により取得した補正点数を、歌唱に対する採点の最終結果としてユーザに対して提示する提示手段とを備える。
【００１６】
一方、ホストサーバは、各カラオケ装置から送信されてくる採点結果を受信する採点結果受信手段と、採点結果受信手段により受信した採点結果の実点数を楽曲ごとに対応付けて統計的に蓄積する採点結果データベースと、補正点数算出手段と、補正点数算出手段により算出した補正点数を、当該採点結果送信元のカラオケ装置に対して送信する補正点数送信手段とを備える。このうち、前記補正点数算出手段は、採点結果受信手段により採点結果を受信した際、採点結果データベースに蓄積されたデータによる、全楽曲に対応する実点数の集合の平均値及び標準偏差と、当該採点結果に係る楽曲に対応する実点数の集合の平均値及び標準偏差とに基づき、当該採点結果に係る楽曲に対応する実点数の集合を母集団とする当該採点結果の実点数の偏差値と、全楽曲に対応する実点数の集合を母集団とする補正点数の偏差値とが等しくなるような補正点数を算出する。
【００１７】
このように構成されたカラオケ採点システムによれば、歌唱に対する採点を行うカラオケ装置と、採点結果データベースに基づいて補正点数を算出するホストサーバとが連携することで、請求項１に記載のカラオケ採点システムと同様の作用・効果を実現できる。ただし、ホストサーバには複数のカラオケ装置からそれぞれ採点結果がアップロードされてくるため、採点結果データベースにより多くの採点結果のサンプルを蓄積できる。したがって、カラオケ装置単体で本発明のカラオケ採点システムを実現する場合と比較して、より多くのサンプルに基づく、より正確かつ公平な採点を実現できる。
【００１８】
さらに、請求項２に記載のカラオケ採点システムにおいて、カラオケ装置は、ユーザに対応する採点履歴の閲覧要求を受け付ける受付手段と、受付手段による閲覧要求を当該ユーザの識別情報に対応付けてホストサーバへ送信する閲覧要求送信手段と、閲覧要求送信手段によって送信した閲覧要求に対する応答としてホストサーバから送信されてくる新たな補正点数と過去の補正点数とを取得する採点履歴取得手段と、採点履歴取得手段により取得した新たな補正点数と過去の補正点数とを比較可能な態様でユーザに対して提示する履歴提示手段とを備える。
【００１９】
一方、ホストサーバでは、個人用採点履歴データベースと、閲覧要求受信手段と、補正点数再算出手段と、履歴送信手段とを更に備える。個人用採点履歴データベースは、採点結果受信手段により受信した採点結果の実点数と、この実点数に対して補正点数算出手段により算出した歌唱当時の補正点数とを、これらの点数に該当の楽曲の識別情報に対応付けて当該歌唱を行ったユーザの識別情報に対応する採点履歴として蓄積する。閲覧要求受信手段は、各カラオケ装置から送信されてくる閲覧要求を受信する。補正点数再算出手段は、閲覧要求受信手段により受信した閲覧要求に応じて、個人用採点履歴データベースに蓄積された当該ユーザに対応する採点履歴の実点数及びこの実点数に対応する楽曲の識別情報に基づき、この実点数に対する補正点数を現在の採点結果データベースに蓄積されたデータに基づいて新たに算出する。履歴送信手段は、補正点数再算出手段により新たに算出した補正点数と、個人用採点履歴データベースに蓄積されている当該楽曲の歌唱当時に算出された過去の補正点数とを当該閲覧要求の送信元のカラオケ装置に対して送信する。
【００２０】
このように構成されたカラオケ採点システムによれば、請求項１に記載のカラオケ採点システムと同様に、個人用採点履歴データベースに蓄積された個人の採点履歴をユーザからの閲覧要求に応じて閲覧可能である。さらに、この閲覧においては、ユーザが歌唱した当時に算出された過去の補正点数と、当該歌唱当時の実点数を現在の採点結果データベースの統計水準によって新たに補正した補正点数とを比較することができる。
【発明を実施するための最良の形態】
【００２１】
以下、本発明の一実施形態を図面に基づいて説明する。
［カラオケ採点システム１の構成の説明］
図１は、実施形態のカラオケ採点システム１の概略構成を示すブロック図である。
【００２２】
図１に示すように、カラオケ採点システム１は、ユーザにカラオケサービスを提供するカラオケ店舗等にそれぞれ設置される複数のカラオケコマンダ２（本発明のカラオケ装置に相当）が、ＷＡＮ（Wide Area Network）２００を介してホストサーバ５に接続されることによって形成されている。
【００２３】
カラオケコマンダ２は、ユーザから指定されたカラオケ楽曲の再生を行うための装置である。カラオケコマンダ２は、ハードウェア構成として、ＣＰＵ２１、ＲＡＭ２２、ＲＯＭ２３、ハードディスクドライブ２４（以下、ＨＤＤ２４と表記する）、操作部２５、表示部２６、マイクロホン２７、再生部２８、ネットワーク通信部２９等を備える。
【００２４】
ＣＰＵ２１は、ＲＯＭ２３やＲＡＭ２２に記憶されたプログラムやデータに従って、カラオケコマンダ２各部に対する制御及び各種演算を実行する装置であり、後述する採点処理や個人履歴表示処理等の各種処理は、このＣＰＵ２１によって実行される。ＲＡＭ２２は、ＣＰＵ２１から直接アクセスされるメインメモリとして利用される記憶装置である。このＲＡＭ２２には、各種プログラムがＨＤＤ２４から読み込まれ、また、ＣＰＵ２１による各種演算処理の結果やＨＤＤ２４から読み込まれたデータもＲＡＭ２２に記憶される。後述する各種処理を実行する際には、各処理をＣＰＵ２１に実行させるためのプログラムがＨＤＤ２４からＲＡＭ２２に読み込まれる。そして、ＲＡＭ２２に記憶されたプログラムに従って、ＣＰＵ２１が各処理を実行することになる。
【００２５】
ＲＯＭ２３は、カラオケコマンダ２の電源スイッチを切っても記憶内容を保持する記憶装置であり、ＢＩＯＳや通常であれば更新されない読み出し専用のデータ等を記憶している。ＨＤＤ２４は、カラオケ演奏用の楽曲データや、プログラム、各種データ等を保存しておくための記憶装置である。操作部２５は、ユーザからの各種指示を入力するための入力装置であり、複数のキースイッチ等によって構成される。表示部２６は、例えば液晶ディスプレイ等の表示装置によって構成され、各種映像を表示する。マイクロホン２７は、ユーザの歌唱音声を電気信号に変換するための入力装置である。
【００２６】
再生部２８は、演奏データ（ＭＩＤＩデータ）に基づく演奏再生を行うＭＩＤＩ音源、ＭＩＤＩ音源により生成されたオーディオ信号及びマイクロホン２７から入力されたオーディオ信号をスピーカへ出力する音声制御部、画像データに基づく映像の再生を制御する映像再生部等を備える。
【００２７】
ネットワーク通信部２９は、カラオケコマンダ２をＷＡＮ２００へ接続して外部と通信を行うための通信インタフェースである。カラオケコマンダ２は、このネットワーク通信部２９を介して、ホストサーバ５との間で情報通信を行う。
【００２８】
なお、本実施形態のカラオケコマンダ２は、ユーザによる歌唱を採点する周知の歌唱採点機能を備えている。この歌唱採点機能は、マイクロホン２７から入力されてくる音声信号から抽出した歌唱の音程やテンポを採点基準となるメロディに照合し、その適合度合を点数化することで採点結果とするものである。さらに、カラオケコマンダ２は、本発明の特徴的な処理として、ユーザの歌唱を上記歌唱採点機能で採点した点数（以下、実点数と称する）をホストサーバ５へ送信することで、この実点数をホストサーバ５にて統計的に補正した補正点数を取得し、この補正点数を歌唱に対する採点の最終結果としてユーザに提示する処理を実行する。この処理の詳細な内容については後述する。
【００２９】
ホストサーバ５は、ＷＡＮ２００を介して通信可能に接続された各カラオケコマンダ２から送信されてくるカラオケ歌唱の採点結果やユーザの歌唱履歴等を一元管理するデータベース機能を備えたカラオケサービス用のサーバ装置であり、適宜な処理能力を有する情報処理装置等で構成される。ホストサーバ５は、各カラオケコマンダ２から送信されてくるカラオケ歌唱の採点結果やユーザの歌唱履歴等を、全楽曲集計データ（図３参照）や個人用履歴データ（図４参照）等に蓄積する。なお、これらのデータの詳細な内容については後述する。そして、各カラオケコマンダ２からの要求に応じて、これらのデータを利用した演算結果をカラオケコマンダ２に対して提供する。
【００３０】
［歌唱の採点に関する処理の説明］
つぎに、カラオケコマンダ２とホストサーバ５とが連携してユーザの歌唱に対する採点を行う一連の処理の流れを、図２のラダーチャートに基づき説明する。
【００３１】
図２は、カラオケコマンダ２が歌唱の採点を行い、その採点結果に基づいてホストサーバ５が補正点数を統計的に算出し、その補正点数をカラオケコマンダ２が表示するまでの一連の処理の手順を示すラダーチャートである。
【００３２】
まず、カラオケコマンダ２は、ユーザから予約されたカラオケ楽曲の演奏を開始する。なお、本実施形態のカラオケコマンダ２は、本実施形態のカラオケ採点システム１へログインするためのアカウントを有するユーザからのログイン手続きを受け付けることにより、演奏する楽曲の予約や演奏、採点といった種々のカラオケサービスを当該ログインユーザの識別情報（ユーザＩＤ）に対応付けることができる。より具体的には、ユーザがカラオケコマンダ２の使用を開始する際、当該カラオケコマンダ２に対するログイン手続きを行う。カラオケコマンダ２へのログイン手続きは、そのカラオケコマンダ２専用の操作端末として対応付けられているリモコン等を用いて、認証用のユーザＩＤ及びパスワードを入力することで行われる。そして、カラオケコマンダ２は、自装置にログインしたユーザとの対応付けを行う。具体的には、自カラオケコマンダ２を利用中のログインユーザとして、当該ログインユーザのユーザＩＤをＲＡＭ２２等に記憶する。
【００３３】
カラオケコマンダ２は、ユーザから予約されたカラオケ楽曲の演奏を開始した後、マイクロホン２７を介して入力されるユーザの歌唱音声を採点する。採点は、ユーザの歌唱音声と採点基準のメロディとの適合度合を点数化することにより行う。そして、歌唱期間中の採点結果を集計し、当該歌唱に対する実点数を、例えば満点を１００点とする採点方法で算出する。
【００３４】
カラオケコマンダ２は、この採点した実点数と、歌唱したユーザのユーザＩＤと、歌唱した楽曲の楽曲番号と、歌唱した日時とを示す情報を、当該ユーザの歌唱の採点結果としてホストサーバ５へ送信する。ホストサーバ５は、カラオケコマンダ２から採点結果を受信すると、この採点結果に含まれる実点数を当該楽曲の実点数のサンプルとして全楽曲集計データに記録する。
【００３５】
ここで、ホストサーバ５が管理する全楽曲集計データの詳細な内容について、図３に基づき説明する。図３は、ホストサーバ５が記憶する全楽曲集計データの一例を模式的に示す説明図である。
【００３６】
全楽曲集計データは、各カラオケコマンダ２から送信されてくる採点結果の実点数をその採点された楽曲ごとに集計したデータファイルであり、ホストサーバ５が備えるデータベース内に格納されている。図３に示すように、全楽曲集計データには、楽曲の識別情報である「楽曲番号」の欄に続けて、「蓄積データ数」、「平均点数」、「標準偏差」、「１」，「２」…「ｎ」といった欄が設けられている。「蓄積データ数」の欄には、楽曲ごとに蓄積されている実点数のサンプル数が記録されている。また、「平均点数」の欄には、楽曲ごとの実点数の総和を蓄積データ数で割った平均値が記録されている。「標準偏差」の欄には、楽曲ごとの実点数の集合に対する標準偏差の値が記録されている。また、「１」，「２」…「ｎ」の各欄には、楽曲ごとの個々の実点数が記録されている。
【００３７】
さらに、全楽曲集計データには、個々の楽曲ごとの実点数を全て集計した、全楽曲の平均点数及び標準偏差の値が記録されている。
ホストサーバ５は、カラオケコマンダ２から採点結果が送信されてくると、その採点結果に含まれる実点数を全楽曲集計データの該当する楽曲番号の欄に記録すると共に、楽曲ごとの平均点数及び標準偏差と、全楽曲の平均点数及び標準偏差とを算出し、これを全楽曲集計データに記録する。
【００３８】
図２のラダーチャートの説明に戻る。ホストサーバ５は、カラオケコマンダ２から通知された採点結果を全楽曲集計データに登録した後、この全楽曲集計データに記録されている当該採点結果に係る楽曲の平均点数及び標準偏差と、全楽曲の平均点数及び標準偏差とを用いて、当該採点結果の実点数を楽曲の難易度に応じて統計的に補正した補正点数を算出する。ここでは、難易度が相対的に高い楽曲に対しては、実点数よりも高い補正点数が算出され、難易度が相対的に低い楽曲に対しては、実点数よりも低い補正点数が算出される。なお、この補正点数の算出方法についての詳細な内容は後述する。ホストサーバ５は、補正点数の算出後、当該ユーザの採点結果及び補正点数等に関する各種データを、個人用履歴データに記録する。
【００３９】
ここで、ホストサーバ５が管理する個人用履歴データの詳細な内容について、図４に基づき説明する。図４は、ホストサーバ５が記憶する個人用履歴データの一例を模式的に示す説明図である。
【００４０】
個人用履歴データは、個々のユーザごとの歌唱の採点履歴をユーザＩＤに対応付けて集約したデータファイルであり、ホストサーバ５が備えるデータベース内に格納されている。図４に示すように、個人用履歴データは、ユーザＩＤに対応付けて、「履歴数」、当該ユーザが歌唱した楽曲の識別情報である「楽曲番号」、「歌唱日」、「歌唱時刻」、「実点数」、「補正点数」、「歌唱時の楽曲毎の平均点数」、「歌唱時の楽曲毎の標準偏差」、「歌唱時の全楽曲の平均点数」、「歌唱時の全楽曲の標準偏差」といった欄が設けられている。そして、このような構成を有するレコードが個々のユーザごと用意され、それぞれホストサーバ５のデータベース内に格納されている。
【００４１】
「履歴数」の欄には、当該ユーザの歌唱した楽曲の登録件数が記録されている。また、「歌唱日」と「歌唱時刻」の欄には、当該楽曲が歌唱された日付と時刻がそれぞれ記録されている。また、「実点数」の欄には、当該楽曲の歌唱当時にカラオケコマンダ２によって採点された実点数が記録されている。また、「補正点数」の欄には、当該楽曲の歌唱当時にホストサーバ５によって算出された上述の補正点数が記録されている。また、「歌唱時の楽曲毎の平均点数」、「歌唱時の楽曲毎の標準偏差」、「歌唱時の全楽曲の平均点数」及び「歌唱時の全楽曲の標準偏差」の各欄には、当該楽曲の歌唱当時における全楽曲集計データに基づく、当該楽曲の平均点数及び標準偏差と全楽曲の平均点数及び標準偏差とが、それぞれ記録されている。
【００４２】
ホストサーバ５は、カラオケコマンダ２から通知された採点結果と全楽曲集計データとに基づく補正点数の算出後、個人用履歴データの当該ユーザに対応するレコードの上記各欄に、当該採点結果に係る楽曲に関する各データを追加する。
【００４３】
図２のラダーチャートの説明に戻る。ホストサーバ５は、個人用履歴データの記録後、当該採点結果に係る補正点数の当該楽曲内での順位と、全楽曲での順位とを算出する。なお、順位の算出にあたっては、過去に算出した全ユーザに対する補正点数を楽曲ごとに集約してデータベースに蓄積しておき、この蓄積した補正点数の集合と、新たに算出した補正点数とを比較することで、楽曲別の順位と全楽曲での順位を算出することが考えられる。
【００４４】
つぎに、ホストサーバ５は、算出した補正点数、楽曲別の順位、全楽曲での順位の各データを、採点結果送信元のカラオケコマンダ２に対して返信する。
カラオケコマンダ２は、ホストサーバ５から補正点数を受信すると、この受信した補正点数の当該カラオケ店舗内の順位を算出する。なお、カラオケ店舗内の順位の算出にあたっては、過去に当該カラオケ店舗内の各カラオケコマンダ２で行われた歌唱に対する補正点数を集約してカラオケコマンダ２内のデータベースに蓄積しておき、この蓄積した補正点数の集合と、新たに受信した補正点数とを比較することで、カラオケ店舗内の順位を算出することが考えられる。
【００４５】
そして、カラオケコマンダ２は、ホストサーバ５から受信した補正点数、楽曲別の順位、及び全楽曲での順位と、自ら算出した店舗内の順位とを、歌唱に対する採点の最終結果として表示部２６に表示する。
【００４６】
［カラオケコマンダ２が実行する採点処理の説明］
つぎに、図２のラダーチャートに示す上述の一連の処理のうち、カラオケコマンダ２が実行する処理の詳細な内容について、図５及び図６に基づき説明する。
【００４７】
図５は、カラオケコマンダ２が実行する採点処理の手順を示すフローチャートである。この処理は、カラオケコマンダ２がログインユーザから予約された楽曲を採点モードで演奏する際に実行される処理である。
【００４８】
カラオケコマンダ２は、まず、歌唱の採点を実行する採点モードで予約楽曲の演奏を開始し（Ｓ１００）、マイクロホン２７から入力されるユーザの歌唱音声を採点する（Ｓ１１０）。そして、当該楽曲の演奏が終了したか否かを判定する（Ｓ１２０）。当該楽曲の演奏が継続している間（Ｓ１２０：ＮＯ）、Ｓ１１０で歌唱音声の採点を継続する。その後、当該楽曲の演奏が終了したと判定した場合（Ｓ１２０：ＹＥＳ）、歌唱期間中の採点結果を集計し、当該歌唱に対する実点数を算出する（Ｓ１３０）。
【００４９】
そして、当該歌唱をしたユーザの識別情報であるユーザＩＤと、歌唱した楽曲の識別情報である楽曲番号と、当該歌唱に対する実点数と、歌唱した日時とを示すデータを採点結果としてホストサーバ５へ送信する（Ｓ１４０）。つづいて、ホストサーバ５からの補正点数及び順位の応答を受信するまでの間、待機する（Ｓ１５０−Ｓ１６０：ＮＯ）。
【００５０】
Ｓ１６０でホストサーバ５からの応答を受信したと判定した場合（Ｓ１６０：ＹＥＳ）、ホストサーバ５から受信した補正点数のカラオケ店舗内での順位を算出する（Ｓ１７０）。そして、ホストサーバ５から受信した補正点数、楽曲別の順位、及び全楽曲での順位と、Ｓ１７０で算出した店舗内の順位とを歌唱に対する採点の最終結果として、ユーザ名や楽曲名と共に表示部２６に所定時間（例えば、５秒間）だけ表示し（Ｓ１８０）、本処理を終了する。
【００５１】
図６は、上記Ｓ１８０での採点結果の表示例を模式的に示す説明図である。
図６に示すように、採点結果の表示画面には、歌唱者の名前及び歌唱した楽曲の名称と共に、採点結果の点数（補正点数）、店舗内での順位、楽曲別の順位、全国順位（全楽曲での順位）とが表示される。
【００５２】
［ホストサーバ５が実行する採点補正・履歴記録処理の説明］
つぎに、図２のラダーチャートに示す上述の一連の処理のうち、ホストサーバ５が実行する処理の詳細な内容について、図７〜図９に基づき説明する。
【００５３】
図７は、ホストサーバ５が実行する採点補正・履歴記録処理の手順を示すフローチャートである。この処理は、ホストサーバ５において常時繰り返し実行される処理である。
ホストサーバ５は、まず、カラオケコマンダ２から採点結果の通知を受信するまで待機する（Ｓ２００−Ｓ２１０：ＮＯ）。なお、採点結果の通知は、上述の採点処理（図５参照）のＳ１４０において送信されるものである。その後、カラオケコマンダ２から採点結果の通知を受信したと判定した場合（Ｓ２１０：ＹＥＳ）、データベースに格納している全楽曲集計データ（図３参照）の該当の楽曲の欄に、当該採点結果の実点数を記録する（Ｓ２２０）。
【００５４】
つぎに、全楽曲集計データの当該楽曲に関する各欄のデータから、当該楽曲毎の平均点数及び標準偏差の値と、全楽曲の平均点数及び標準偏差の値とを読み出し、これらの値を用いて当該採点結果に含まれる実点数に対する補正点数を算出する（Ｓ２３０）。具体的には、これらの値を用いて、全楽曲集計データにおける当該楽曲の実点数の集合に対する当該採点結果の実点数の偏差値と、全楽曲集計データにおける全楽曲の実点数の集合を母集団とする補正点数の偏差値とが等しくなるような補正点数を算出する。すなわち、下記の式（１）の等式が成り立つものとして、補正点数ｘを算出する。これにより、採点結果の実点数を、当該楽曲ごとの偏差値の水準から全楽曲の偏差値の水準に見合った点数へと補正することができる。
【００５５】
【数１】
0004900300.tif 000002
そして、上記式（１）を変形することで、補正点数ｘは下記の式（２）によって算出できる。
【００５６】
【数２】
0004900300.tif 000003
なお、上記式（１），（２）において、μは全楽曲の平均点数を示し、σは全楽曲の標準偏差を示している。また、当該採点結果に該当する楽曲ｉの実点数を示し、μｉは楽曲ｉの平均点数を示し、σｉは楽曲ｉの標準偏差を示している。
【００５７】
ここで、上記式（２）による補正点数の算出結果の具体例について、図８及び図９を参照して説明する。
全楽曲の実点数の集合が、図８に示すような平均点数８０点の点数分布を呈していた仮定する。ここで、ある楽曲Ａの実点数の集合が、同じく図８に示すような平均点数８７点の点数分布を呈していたと仮定する。この場合、楽曲Ａの実点数は、全楽曲の平均点数である８０点よりも高い点数の範囲に多く分布しており、楽曲Ａは比較的簡単な楽曲であると推定できる。
【００５８】
今、楽曲Ａを歌唱したＸさんの実点数が９２点であったとする。Ｘさんの実点数は、楽曲Ａの平均点数８７点を上回っているが、Ｘさんの実点数に対する補正点数は８８点となり、実点数よりも低い点数に下方補正されている。ただし、Ｘさんの補正点数は全楽曲の平均点数を上回っている。一方、楽曲Ａを歌唱したＹさんの実点数が８２点であったとする。Ｙさんの実点数は、全楽曲の平均点数８０点を上回っている反面、楽曲Ａの平均点数８７を下回っている。この場合、Ｙさんの実点数に対する補正点数は６８点となり、全楽曲の平均点数８０点を下回る点数に下方補正されている。
【００５９】
つぎに、図９では、ある楽曲Ｂの実点数の集合が、平均点数７５点の点数分布を呈していた場合を想定している。この場合、楽曲Ｂの実点数は、全楽曲の平均点数である８０点よりも低い点数の範囲に多く分布しており、楽曲Ｂは比較的難しい楽曲であると推定できる。
【００６０】
今、楽曲Ｂを歌唱したＸさんの実点数が７８点であったとする。Ｘさんの実点数は、楽曲Ｂの平均点数７５点を上回っているが、全楽曲の平均点数８０点を下回っている。この場合、Ｘさんの実点数は、全楽曲の平均点数８０点を上回る点数にまで上方補正され、補正点数は８８点となる。一方、楽曲Ｂを歌唱したＹさんの実点数が７３点であったとする。Ｙさんの実点数は、全楽曲の平均点数及び楽曲Ｂの平均点数の何れも下回っている。この場合、Ｙさんの実点数は上方補正されて補正点数が７６点となるが、全楽曲の平均点数８０点より低い点数のままである。
【００６１】
図７のフローチャートの説明に戻る。Ｓ２３０で当該採点結果の実点数に対する補正点数を算出した後、個人用履歴データ（図４参照）の該当のユーザに対応するレコードの各欄に、当該採点結果に係る楽曲番号、歌唱日、歌唱時刻、実点数、補正点数、歌唱時における当該楽曲の平均点数及び標準偏差、歌唱時における全が曲の平均点数及び標準偏差をそれぞれ記録する（Ｓ２４０）。
【００６２】
つぎに、Ｓ２４０で算出した補正点数の当該楽曲別の順位と、全楽曲での順位とを算出する（Ｓ２５０）。そして、補正点数、楽曲別の順位及び全楽曲での順位を、当該採点結果の送信元であるカラオケコマンダ２に対して返信し（Ｓ２６０）、本処理を終了する。
【００６３】
［採点履歴の閲覧に関する処理の説明］
つぎに、カラオケコマンダ２とホストサーバ５とが連携して個人の採点履歴の表示を行う一連の処理の流れを、図１０のラダーチャートに基づき説明する。
【００６４】
図１０は、カラオケコマンダ２が個人の採点履歴の閲覧要求をユーザから受け付け、その閲覧要求に応じてホストサーバ５が履歴データをカラオケコマンダ２へ送信し、その採点履歴をカラオケコマンダ２が表示するまでの一連の処理の手順を示すラダーチャートである。
【００６５】
まず、カラオケコマンダ２は、ユーザから個人の採点履歴（以下、個人履歴とも称する）の表示を指示されると、当該ユーザのユーザＩＤを含む個人履歴の送信要求をホストサーバ５に対して送信する。
【００６６】
ホストサーバ５は、カラオケコマンダ２から個人履歴の送信要求を受信すると、個人用履歴データ（図４）から個人履歴送信要求に含まれるユーザＩＤに該当するレコードを読み出す。つぎに、この読み出したレコードに含まれる各楽曲の実点数に対して、現在の全楽曲集計データ（図３参照）に基づく最新の補正点数を再計算する。そして、当該ユーザの個人用履歴データから読み出した各楽曲の楽曲番号、歌唱当時の補正点数、及び再計算した補正点数を履歴データとして個人履歴要求元のカラオケコマンダに対して返信する。
【００６７】
カラオケコマンダ２は、ホストサーバ５から履歴データを受信すると、その内容を表示部２６に表示する。
［カラオケコマンダ２が実行する個人履歴表示処理の説明］
つぎに、図１０のラダーチャートに示す上述の一連の処理のうち、カラオケコマンダ２が実行する処理の詳細な内容について、図１１及び図１２に基づき説明する。
【００６８】
図１１は、カラオケコマンダ２が実行する個人履歴表示処理の手順を示すフローチャートである。この処理は、カラオケコマンダ２が個人履歴の表示の指示をユーザから受け付けることで開始される。
【００６９】
カラオケコマンダ２は、まず、ユーザから受け付けた個人履歴の表示のための指示に基づき、個人履歴の送信要求をホストサーバ５に対して送信する（Ｓ３００）。この個人履歴の送信要求には、個人履歴の表示を指示したユーザのユーザＩＤが含まれる。
【００７０】
個人履歴の送信要求をホストサーバ５に対して送信した後、ホストサーバ５から履歴データの応答受信するまで待機する（Ｓ３１０−Ｓ３２０：ＮＯ）。そして、ホストサーバ５から履歴データの応答を受信したと判定した場合（Ｓ３２０：ＹＥＳ）、この受信した履歴データをＲＡＭ２２に記録する（Ｓ３３０）。
【００７１】
つぎに、ホストサーバ５から受信した履歴データに含まれる各楽曲の再計算された補正点数に基づき、この補正点数の店舗内での順位をそれぞれ算出する（Ｓ３４０）。そして、履歴データに含まれる各楽曲の歌唱当時の補正点数と、再計算された新たな補正点数と、新たな補正点数による店舗内順位とを、当該楽曲の名称やユーザ名称と共に表示部２６に表示する（Ｓ３５０）。なお、このとき表示するのは、履歴データに含まれる各楽曲のうち、５楽曲分の情報である。
【００７２】
図１２は、上記Ｓ３５０での個人履歴の表示例を模式的に示す説明図である。
図１２に示すように、採点結果の表示画面には、歌唱者の名前と共に、歌唱した各楽曲の名称、当該楽曲の歌唱当時の補正点数、再計算した新たな補正点数、新たな補正点数による店舗内での順位等が表示される。また、ホストサーバ５から受信した履歴データに５楽曲分以上のデータが含まれている場合には、個人履歴の表示画面を次の楽曲のページへと切り替えるための操作をユーザに対して案内する旨の表示を行う。なお、本実施形態では、カラオケコマンダ２の操作部２５、あるいはカラオケコマンダ２に備えられたリモコンに設けられている演奏楽曲の予約をするための「選曲」ボタンを押下することで、個人履歴の表示画面を次のページへと切り替えることができるように構成されているものと想定する。また、楽曲の演奏を中止するための「演奏停止」ボタンを押下することで、個人履歴の閲覧を終了することができるように構成されているものと想定する。
【００７３】
図１１のフローチャートの説明に戻る。Ｓ３５０で個人履歴を表示した後、「選曲」ボタンが押下されたか否かを判定する（Ｓ３６０）。ここで、「選曲」ボタンが押下されたと判定した場合（Ｓ３６０：ＹＥＳ）、ＲＡＭ２２に記憶した履歴データに基づいて、現在表示中の個人履歴を次の５楽曲分の内容へと切り替え（Ｓ３７０）、Ｓ３６０の処理へ戻る。
【００７４】
一方、Ｓ３６０で「選曲」ボタンが押下されていないと判定した場合（Ｓ３６０：ＮＯ）、「演奏停止」ボタンが押下されたか否かを判定する（Ｓ３８０）。ここで、「演奏停止」ボタンが押下されていないと判定した場合（Ｓ３８０：ＮＯ）、Ｓ３６０の処理へ戻る。一方、「演奏停止」ボタンが押下されたと判定した場合（Ｓ３８０：ＹＥＳ）、個人履歴の表示を終了した後（Ｓ３９０）、本処理を終了する。
【００７５】
［ホストサーバ５が実行する履歴データ送信処理の説明］
つぎに、図１０のラダーチャートに示す上述の一連の処理のうち、ホストサーバ５が実行する処理の詳細な内容について、図１３に基づき説明する。
【００７６】
図１３は、ホストサーバ５が実行する履歴データ送信処理の手順を示すフローチャートである。この処理は、ホストサーバ５において常時繰り返し実行される処理である。
ホストサーバ５は、まず、カラオケコマンダ２から個人履歴の送信要求を受信するまで待機する（Ｓ４００−Ｓ４１０：ＮＯ）。なお、個人履歴の送信要求は、上述の個人履歴表示処理（図１１参照）のＳ３００において送信されるものである。その後、カラオケコマンダ２から個人履歴の送信要求を受信したと判定した場合（Ｓ４１０：ＹＥＳ）、個人用履歴データ（図４）から当該個人履歴送信要求に含まれるユーザＩＤに該当するレコードを読み出す（Ｓ４２０）。
【００７７】
つぎに、この読み出したレコードに含まれる各楽曲の実点数に対して、現在の全楽曲集計データ（図３参照）に基づく最新の補正点数をそれぞれ再計算する（Ｓ４３０）。なお、補正点数の算出方法については、上述の採点補正・履歴記録処理（図７参照）のＳ２３０における上記式（２）を用いた補正点数の算出方法と同様である。そして、当該ユーザの個人用履歴データから読み出した各楽曲の楽曲番号、歌唱当時の補正点数、及び再計算した補正点数を履歴データとして個人履歴要求元のカラオケコマンダに対して返信する（Ｓ４４０）。
【００７８】
［効果］
上記実施形態のカラオケ採点システム１によれば、以下のような効果を奏する。
歌唱の採点結果に係る楽曲に対応する実点数の集合を母集団とする当該採点結果の実点数の偏差値と、全楽曲に対応する実点数の集合を母集団とする補正点数の偏差値とが等しくなるような補正点数を算出することで、採点結果の実点数を、当該楽曲ごとの偏差値の水準から全楽曲の偏差値の水準に見合った点数へと補正することができる。これにより、楽曲ごとの難易度によって生じる実点数の統計的特徴を考慮した態様にて、ユーザの歌唱の巧拙を正確かつ公平に採点することができる。また、このような手法で補正された点数をユーザに提示することで、ユーザは自身の歌唱力を正確に把握することができ、好適である。
【００７９】
また、このようにして算出した補正点数を集計し、この集計データを採点結果の順位付けに用いることで、難易度の異なる複数の楽曲に対する採点結果を一括で集計した場合においても、楽曲の難易度の差による点数差を補正した公平な点数に基づいて順位付けを行うことができる。
【００８０】
さらに、上記施形態のカラオケ採点システム１では、個人用履歴データに蓄積された個人の採点履歴をユーザからの閲覧要求に応じて閲覧可能である。また、この閲覧においては、ユーザが歌唱した当時に算出された過去の補正点数と、当該歌唱当時の実点数を現在の採点結果データベースの統計水準によって新たに補正した補正点数とを比較することができる。これにより、歌唱に対する採点結果を用いた新たなサービスをユーザに対して提供することができる。このサービスによって、ユーザが歌唱した当時の統計水準に基づく歌唱力の評価が、現在の水準ではどの程度変化しているのかをユーザが把握できるので便利である。
【００８１】
なお、上記実施形態のカラオケ採点システム１は、本発明のカラオケ採点方法を、歌唱に対する採点を行う複数のカラオケコマンダ２と、採点結果データベースに基づいて補正点数を算出するホストサーバ５とが接続されたシステムに適用したものである。このようなシステムでは、ホストサーバ５に複数のカラオケコマンダ２からそれぞれ採点結果がアップロードされてくるため、全楽曲集計データにより多くの採点結果のサンプルを蓄積できる。したがって、カラオケ楽曲の演奏を行うカラオケ装置単体で本発明のカラオケ採点システムを実現する場合と比較して、より多くのサンプルに基づく、より正確かつ公平な採点を実現できる。
【００８２】
［変形例］
以上、本発明の実施形態について説明したが、本発明は上記の実施形態に何ら限定されるものではなく様々な態様にて実施することが可能である。
【００８３】
例えば、上記実施形態のカラオケ採点システム１は、本発明のカラオケ採点方法を複数のカラオケコマンダ２とホストサーバ５とが接続されたシステムに適用したものである。これに対し、本発明のカラオケ採点方法をカラオケ楽曲の演奏を行うカラオケ装置単体で実現してもよい。具体的には、上記実施形態のカラオケ採点システム１におけるホストサーバ５が備えるデータベース機能をカラオケ装置に備えるように構成し、ホストサーバ５による全楽曲集計データ（図３参照）や個人用履歴データ（図４参照）の蓄積や、採点結果の実点数に対する補正点数の算出を、カラオケ装置単体で実行できるようにすればよい。このように構成されたカラオケ装置によれば、カラオケ装置がネットワークに接続されずに単体で稼働するような環境においても、本発明のカラオケ採点方法による正確かつ公平な採点を実現できる。
【図面の簡単な説明】
【００８４】
【図１】カラオケ採点システム１の概略構成を示すブロック図である。
【図２】歌唱の採点に関する一連の処理の手順を示すラダーチャートである。
【図３】全楽曲集計データの一例を模式的に示す説明図である。
【図４】個人用履歴データの一例を模式的に示す説明図である。
【図５】カラオケコマンダ２が実行する採点処理の手順を示すフローチャートである。
【図６】採点結果の表示例を模式的に示す説明図である。
【図７】ホストサーバ５が実行する採点補正・履歴記録処理の手順を示すフローチャートである。
【図８】補正点数の算出結果の具体例を模式的に示す説明図である。
【図９】補正点数の算出結果の具体例を模式的に示す説明図である。
【図１０】採点履歴の閲覧に関する一連の処理の手順を示すラダーチャートである。
【図１１】カラオケコマンダ２が実行する個人履歴表示処理の手順を示すフローチャートである。
【図１２】個人履歴の表示例を模式的に示す説明図である。
【図１３】ホストサーバ５が実行する履歴データ送信処理の手順を示すフローチャートである。
【図１４】歌唱の難易度が異なる楽曲を歌唱力の異なるユーザがそれぞれ歌唱した際の採点結果の分布を示すグラフである。
【符号の説明】
【００８５】
１…カラオケ採点システム、２…カラオケコマンダ、２１…ＣＰＵ、２２…ＲＡＭ、２３…ＲＯＭ、２４…ハードディスクドライブ（ＨＤＤ）、２５…操作部、２６…表示部、２７…マイクロホン、２８…再生部、２９…ネットワーク通信部、５…ホストサーバ、２００…ＷＡＮ
【図１】
0004900300.tif 000004
【図２】
0004900300.tif 000005
【図３】
0004900300.tif 000006
【図４】
0004900300.tif 000007
【図５】
0004900300.tif 000008
【図６】
0004900300.tif 000009
【図７】
0004900300.tif 000010
【図８】
0004900300.tif 000011
【図９】
0004900300.tif 000012
【図１０】
0004900300.tif 000013
【図１１】
0004900300.tif 000014
【図１２】
0004900300.tif 000015
【図１３】
0004900300.tif 000016
【図１４】
0004900300.tif 000017